(57)【要約】  本発明の実施形態は、ワイヤレス通信技術に関し、特に、信号チャネル補正補償方法および装置、ならびにシステムに関する。本方法は、ベースバンドユニットBBUによって、無線遠隔ユニットRRUの補正基準チャネルから各受信信号を受信するステップであって、各受信信号が、BBUがRRUの各送信チャネルに送信補正基準信号を送信した後に各送信チャネルから対応して出力される信号である、ステップと、BBUによって、各受信信号に従って各送信チャネルのチャネル遅延を算出するステップと、BBUによって、最小チャネル遅延に対応する送信チャネルを送信基準チャネルとして使用して各送信チャネルの補償係数を算出するステップと、BBUによって、各送信チャネルの補償係数に従って各送信チャネルに対して補正補償を行うステップとを含み、受信信号の量は1よりも大きい正の整数であり、受信信号の量は送信チャネルの量に等しい。この信号チャネル補正補償方法および装置、ならびにシステムによれば、受信信号に対する符号間干渉を効果的に低減することができる。
2018530972.tif 000002
【特許請求の範囲】
【請求項１】
信号チャネル補正補償方法であって、
ベースバンドユニットBBUによって、無線遠隔ユニットRRUの補正基準チャネルから各受信信号を受信するステップであって、前記各受信信号が、前記BBUが前記RRUの各送信チャネルに送信補正基準信号を送信した後に前記各送信チャネルから対応して出力される信号である、ステップと、
前記BBUによって、前記各受信信号に従って前記各送信チャネルのチャネル遅延を算出するステップと、
前記BBUによって、最小チャネル遅延に対応する送信チャネルを送信基準チャネルとして使用して前記各送信チャネルの補償係数を算出するステップと、
前記BBUによって、前記各送信チャネルの前記補償係数に従って前記各送信チャネルに対して補正補償を行うステップと
を含み、前記受信信号の量が1よりも大きい正の整数であり、前記受信信号の前記量が前記送信チャネルの量に等しい、
信号チャネル補正補償方法。
【請求項２】
前記BBUによって、前記各受信信号に従って前記各送信チャネルのチャネル遅延を算出する前記ステップが、
前記BBUによって、受信した前記各受信信号に従って前記各送信チャネルの周波数領域チャネル応答を計算するステップと、
前記BBUによって、前記各送信チャネルの前記周波数領域チャネル応答に従って前記各送信チャネルの前記チャネル遅延を算出するステップと
を含む、請求項1に記載の方法。
【請求項３】
前記BBUによって、受信した前記各受信信号に従って前記各送信チャネルの周波数領域チャネル応答を計算する前記ステップが、
前記BBUによって、式
【数１】
2018530972.tif 000023
に従って前記各送信チャネルの前記周波数領域チャネル応答を計算するステップ
を含み、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項2に記載の方法。
【請求項４】
前記BBUによって、最小チャネル遅延に対応する送信チャネルを送信基準チャネルとして使用して前記各送信チャネルの補償係数を算出する前記ステップが、
前記BBUによって、前記各送信チャネルの前記周波数領域チャネル応答に従って前記各送信チャネルの初期補正補償係数を計算するステップと、
前記BBUによって、前記最小チャネル遅延に対応する前記送信チャネルの初期補正補償係数を基準として使用して前記各送信チャネルの前記補償係数を算出するステップと
を含む、請求項2または3に記載の方法。
【請求項５】
前記BBUによって、前記各送信チャネルの前記周波数領域チャネル応答に従って前記各送信チャネルの初期補正補償係数を計算する前記ステップが、
前記BBUによって、前記各送信チャネルの前記周波数領域チャネル応答の逆数を計算することによって前記各送信チャネルの前記初期補正補償係数を取得するステップ
を含む、請求項4に記載の方法。
【請求項６】
前記BBUによって、前記最小チャネル遅延に対応する前記送信チャネルの初期補正補償係数を基準として使用して前記各送信チャネルの前記補償係数を算出する前記ステップが、
前記BBUによって、前記各送信チャネルの前記初期補正補償係数を、前記最小チャネル遅延に対応する前記送信チャネルの前記初期補正補償係数で割ることによって前記各送信チャネルの前記補償係数を取得するステップ
を含む、請求項4または5に記載の方法。
【請求項７】
前記BBUが、複数のRRUに接続され、
ベースバンドユニットBBUによって、無線遠隔ユニットRRUの補正基準チャネルから前記各受信信号を受信する前記ステップが、
前記BBUによって、前記RRUの各々の補正基準チャネルから前記各受信信号を受信するステップであって、前記各受信信号が、前記BBUが前記複数のRRUの前記各送信チャネルに送信補正基準信号を送信した後に前記複数のRRUの前記各送信チャネルから対応して出力される信号である、ステップ
を含む、請求項1から6のいずれか一項に記載の方法。
【請求項８】
信号チャネル補正補償装置であって、前記装置が、ベースバンドユニットBBUに配置され、
受信ユニットであって、無線遠隔ユニットRRUの補正基準チャネルからの各受信信号の受信であって、前記各受信信号が、前記BBUが前記RRUの各送信チャネルに送信補正基準信号を送信した後に前記各送信チャネルから対応して出力される信号であり、前記受信信号の量が1よりも大きい正の整数であり、前記受信信号の前記量が前記送信チャネルの量に等しい、受信を行うように構成される、受信ユニットと、
前記各受信信号に従って前記各送信チャネルのチャネル遅延を算出するように構成されるチャネル遅延算出ユニットと、
最小チャネル遅延に対応する送信チャネルを送信基準チャネルとして使用して前記各送信チャネルの補償係数を算出するように構成される補償係数算出ユニットと、
前記各送信チャネルの前記補償係数に従って前記各送信チャネルに対して補正補償を行うように構成される補正補償ユニットと
を備える、信号チャネル補正補償装置。
【請求項９】
前記チャネル遅延算出ユニットが、受信した前記各受信信号に従って前記各送信チャネルの周波数領域チャネル応答を計算し、前記各送信チャネルの前記周波数領域チャネル応答に従って前記各送信チャネルの前記チャネル遅延を算出するように特に構成される、請求項8に記載の装置。
【請求項１０】
前記チャネル遅延算出ユニットが、式
【数２】
2018530972.tif 000024
に従って前記各送信チャネルの前記周波数領域チャネル応答を計算するように特に構成され、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項9に記載の装置。
【請求項１１】
前記補償係数算出ユニットが、前記各送信チャネルの前記周波数領域チャネル応答に従って前記各送信チャネルの初期補正補償係数を計算し、
前記最小チャネル遅延に対応する前記送信チャネルの初期補正補償係数を基準として使用して前記各送信チャネルの前記補償係数を算出する
ように特に構成される、請求項9または10に記載の装置。
【請求項１２】
前記補償係数算出ユニットが、前記各送信チャネルの前記周波数領域チャネル応答の逆数を計算することによって前記各送信チャネルの前記初期補正補償係数を取得するように特に構成される、請求項11に記載の装置。
【請求項１３】
前記補償係数算出ユニットが、前記各送信チャネルの前記初期補正補償係数を、前記最小チャネル遅延に対応する前記送信チャネルの前記初期補正補償係数で割ることによって前記各送信チャネルの前記補償係数を取得するように特に構成される、請求項11または12に記載の装置。
【請求項１４】
前記BBUが、複数のRRUに接続され、
前記受信ユニットが、前記RRUの各々の補正基準チャネルからの前記各受信信号の受信であって、前記各受信信号が、前記BBUが前記複数のRRUの前記各送信チャネルに送信補正基準信号を送信した後に前記複数のRRUの前記各送信チャネルから対応して出力される信号である、受信を行うように特に構成される、
請求項8から13のいずれか一項に記載の装置。
【請求項１５】
アンテナと、無線遠隔ユニットRRUと、ベースバンドユニットBBUとを備えるアンテナシステムであって、
前記RRUが、補正基準チャネルおよび複数の送信チャネルを備え、前記補正基準チャネルが、前記アンテナと前記BBUの両方に接続され、前記複数の送信チャネルが、前記アンテナと前記BBUとの間に並列に接続され、
前記BBUが、前記RRUの各送信チャネルに対する補正補償を行うように構成され、前記補正補償が、
前記BBUが、前記RRUの前記補正基準チャネルからの各受信信号の受信であって、前記各受信信号が、前記BBUが前記RRUの前記各送信チャネルに送信補正基準信号を送信した後に前記各送信チャネルから対応して出力される信号である、受信を行うことと、
前記BBUが、前記各受信信号に従って前記各送信チャネルのチャネル遅延を算出すること、
前記BBUが、最小チャネル遅延に対応する送信チャネルを送信基準チャネルとして使用して前記各送信チャネルの補償係数を算出することと、
前記BBUが、前記各送信チャネルの前記補償係数に従って前記各送信チャネルに対して補正補償を行うことと
を含み、
前記受信信号の量が1よりも大きい正の整数であり、前記受信信号の前記量が前記送信チャネルの量に等しい、
アンテナシステム。
【請求項１６】
前記BBUが、受信した前記各受信信号に従って前記各送信チャネルの周波数領域チャネル応答を計算し、前記各送信チャネルの前記周波数領域チャネル応答に従って前記各送信チャネルの前記チャネル遅延を算出するように特に構成される、請求項15に記載のシステム。
【請求項１７】
前記BBUが、式
【数３】
2018530972.tif 000025
に従って前記各送信チャネルの前記周波数領域チャネル応答を計算するように特に構成され、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項16に記載のシステム。
【請求項１８】
前記BBUが、前記各送信チャネルの前記周波数領域チャネル応答に従って前記各送信チャネルの初期補正補償係数を計算するように特に構成され、さらに、前記最小チャネル遅延に対応する前記送信チャネルの初期補正補償係数を基準として使用して前記各送信チャネルの前記補償係数を算出するように特に構成される、請求項16または17に記載のシステム。
【請求項１９】
前記BBUが、前記各送信チャネルの前記周波数領域チャネル応答の逆数を計算することによって前記各送信チャネルの前記初期補正補償係数を取得するように特に構成される、請求項18に記載のシステム。
【請求項２０】
前記BBUが、前記各送信チャネルの前記初期補正補償係数を、前記最小チャネル遅延に対応する前記送信チャネルの前記初期補正補償係数で割ることによって前記各送信チャネルの前記補償係数を取得するように特に構成される、請求項18または19に記載のシステム。
【請求項２１】
前記BBUが、複数のRRUに接続され、
前記BBUが、前記RRUの各々の前記補正基準チャネルからの前記各受信信号の受信であって、前記各受信信号が、前記BBUが前記複数のRRUの前記各送信チャネルに送信補正基準信号を送信した後に前記複数のRRUの前記各送信チャネルから対応して出力される信号である、受信を行うように特に構成される、
請求項15から20のいずれか一項に記載のシステム。
【発明の詳細な説明】
【技術分野】
【０００１】
本発明の実施形態は、ワイヤレス通信技術に関し、特に、信号チャネル補正補償方法および装置、ならびにシステムに関する。
【背景技術】
【０００２】
ワイヤレス通信システムでは、アンテナシステムを使用して様々なデータ信号が送受信される。例として、LTE（Long Term Evolution、ロング・ターム・エボリューション）システムにおけるMIMO（Multiple−Input−Multiple−Output、多入力多出力システム）送信方式に使用されるアンテナシステムが使用されている。図1は、従来技術のアンテナシステムの概略構造図を示す。図1からは、アンテナシステムの主な構造が、アンテナ1と、RRU2（Radio Remote Unit、無線遠隔ユニット）と、BBU3（Base Band Unit、ベースバンドユニット）とを含み、RRU2が、複数の信号チャネルを含み、各信号チャネルが、送信チャネルおよび受信チャネルを含むことが分かる。上記のアンテナシステムで信号を送信するプロセスでは、比較的高い信号送信品質を保証するために、各送信チャネルは特定の送信要求を満たす必要がある。例えば、送信チャネルの遅延および位相は、エアインタフェースで揃えられる。別の例では、信号チャネルの受信チャネルのチャネル応答と送信チャネルのチャネル応答との比は等しい。
【０００３】
実際のアンテナシステムでは、トランシーバチャネルの中間周波数部分にジッタが発生し、無線周波数のアナログ成分の応答が一致しないため、各送信チャネルが上記の送信要求を満たすことは困難である。各送信チャネルが送信要求を満たすことができるように、通常、RRU2には補正基準チャネルが配置され、補正基準チャネルおよび信号補償アルゴリズムを使用して各送信チャネルの補償係数が算出され、次に、各送信チャネルの補償係数に従って各送信チャネルに対して補正補償が行われる。
【０００４】
既存のチャネル補正方法を使用して送信チャネルに対して補正補償を行った後、受信チャネルから受信されるデータセグメントが、次のデータセグメントのシンボルサンプリング点を含むことがあり、この結果、ISI（Inter−Symbol−Interference、符号間干渉）が発生する。
【発明の概要】
【課題を解決するための手段】
【０００５】
本発明の実施形態は、受信信号に対する符号間干渉を効果的に低減するための信号チャネル補正補償方法および装置、ならびにシステムを提供する。
【０００６】
第1の態様によれば、本発明の一実施形態は、信号チャネル補正補償方法であって、
ベースバンドユニットBBUによって、無線遠隔ユニットRRUの補正基準チャネルから各受信信号を受信するステップであって、各受信信号が、BBUがRRUの各送信チャネルに送信補正基準信号を送信した後に各送信チャネルから対応して出力される信号である、ステップと、
BBUによって、各受信信号に従って各送信チャネルのチャネル遅延を算出するステップと、
BBUによって、最小チャネル遅延に対応する送信チャネルを送信基準チャネルとして使用して各送信チャネルの補償係数を算出するステップと、
BBUによって、各送信チャネルの補償係数に従って各送信チャネルに対して補正補償を行うステップと
を含み、
受信信号の量が1よりも大きい正の整数であり、受信信号の量が送信チャネルの量に等しい、
信号チャネル補正補償方法を提供する。
【０００７】
任意選択的に、BBUによって、各受信信号に従って各送信チャネルのチャネル遅延を算出するステップは、
BBUによって、受信した各受信信号に従って各送信チャネルの周波数領域チャネル応答を計算するステップと、
BBUによって、各送信チャネルの周波数領域チャネル応答に従って各送信チャネルのチャネル遅延を算出するステップと
を含む。
【０００８】
任意選択的に、BBUによって、受信した各受信信号に従って各送信チャネルの周波数領域チャネル応答を計算するステップは、
BBUによって、式
【０００９】
【数１】
2018530972.tif 000003
【００１０】
に従って各送信チャネルの周波数領域チャネル応答を計算するステップ
を含み、
ただし、stx，i（k）は、BBUによってRRUのi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【００１１】
任意選択的に、BBUによって、最小チャネル遅延に対応する送信チャネルを送信基準チャネルとして使用して各送信チャネルの補償係数を算出するステップは、
BBUによって、各送信チャネルの周波数領域チャネル応答に従って各送信チャネルの初期補正補償係数を計算するステップと、
BBUによって、最小チャネル遅延に対応する送信チャネルの初期補正補償係数を基準として使用して各送信チャネルの補償係数を算出するステップと
を含む。
【００１２】
任意選択的に、BBUによって、各送信チャネルの周波数領域チャネル応答に従って各送信チャネルの初期補正補償係数を計算するステップは、
BBUによって、各送信チャネルの周波数領域チャネル応答の逆数を計算することによって各送信チャネルの初期補正補償係数を取得するステップ
を含む。
【００１３】
任意選択的に、BBUによって、最小チャネル遅延に対応する送信チャネルの初期補正補償係数を基準として使用して各送信チャネルの補償係数を算出するステップは、
BBUによって、各送信チャネルの初期補正補償係数を、最小チャネル遅延に対応する送信チャネルの初期補正補償係数で割ることによって各送信チャネルの補償係数を取得するステップ
を含む。
【００１４】
任意選択的に、BBUは、複数のRRUに接続され、
ベースバンドユニットBBUによって、無線遠隔ユニットRRUの補正基準チャネルから各受信信号を受信するステップは、
BBUによって、RRUの各々の補正基準チャネルから各受信信号を受信するステップであって、各受信信号が、BBUが複数のRRUの各送信チャネルに送信補正基準信号を送信した後に複数のRRUの各送信チャネルから対応して出力される信号である、ステップ
を含む。
【００１５】
第2の態様によれば、本発明の一実施形態は、信号チャネル補正補償装置であって、該装置が、ベースバンドユニットBBUに配置され、
受信ユニットであって、無線遠隔ユニットRRUの補正基準チャネルからの各受信信号の受信であって、各受信信号が、BBUがRRUの各送信チャネルに送信補正基準信号を送信した後に各送信チャネルから対応して出力される信号であり、受信信号の量が1よりも大きい正の整数であり、受信信号の量が送信チャネルの量に等しい、受信を行うように構成される、受信ユニットと、
各受信信号に従って各送信チャネルのチャネル遅延を算出するように構成されるチャネル遅延算出ユニットと、
最小チャネル遅延に対応する送信チャネルを送信基準チャネルとして使用して各送信チャネルの補償係数を算出するように構成される補償係数算出ユニットと、
各送信チャネルの補償係数に従って各送信チャネルに対して補正補償を行うように構成される補正補償ユニットと
を含む、信号チャネル補正補償装置を提供する。
【００１６】
任意選択的に、チャネル遅延算出ユニットは、受信した各受信信号に従って各送信チャネルの周波数領域チャネル応答を計算し、各送信チャネルの周波数領域チャネル応答に従って各送信チャネルのチャネル遅延を算出するように特に構成される。
【００１７】
任意選択的に、チャネル遅延算出ユニットは、式
【００１８】
【数２】
2018530972.tif 000004
【００１９】
に従って各送信チャネルの周波数領域チャネル応答を計算するように特に構成され、ただし、stx，i（k）は、BBUによってRRUのi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【００２０】
任意選択的に、補償係数算出ユニットは、各送信チャネルの周波数領域チャネル応答に従って各送信チャネルの初期補正補償係数を計算するように特に構成され、
BBUは、最小チャネル遅延に対応する送信チャネルの初期補正補償係数を基準として使用して各送信チャネルの補償係数を算出する。
【００２１】
任意選択的に、補償係数算出ユニットは、各送信チャネルの周波数領域チャネル応答の逆数を計算することによって各送信チャネルの初期補正補償係数を取得するように特に構成される。
【００２２】
任意選択的に、補償係数算出ユニットは、各送信チャネルの初期補正補償係数を、最小チャネル遅延に対応する送信チャネルの初期補正補償係数で割ることによって各送信チャネルの補償係数を取得するように特に構成される。
【００２３】
任意選択的に、BBUは、複数のRRUに接続され、
受信ユニットは、各RRUの補正基準チャネルからの各受信信号の受信であって、各受信信号が、BBUが複数のRRUの各送信チャネルに送信補正基準信号を送信した後に複数のRRUの各送信チャネルから対応して出力される信号である、受信を行うように特に構成される。
【００２４】
第3の態様によれば、本発明の一実施形態は、アンテナと、無線遠隔ユニットRRUと、ベースバンドユニットBBUとを含むアンテナシステムであって、
RRUが、補正基準チャネルおよび複数の送信チャネルを含み、補正基準チャネルが、アンテナとBBUの両方に接続され、複数の送信チャネルが、アンテナとBBUとの間に並列に接続され、
BBUが、RRUの各送信チャネルに対する補正補償を行うように構成され、補正補償が、
BBUが、RRUの補正基準チャネルからの各受信信号の受信であって、各受信信号が、BBUがRRUの各送信チャネルに送信補正基準信号を送信した後に各送信チャネルから対応して出力される信号である、受信を行うことと、
BBUが、各受信信号に従って各送信チャネルのチャネル遅延を算出すること、
BBUが、最小チャネル遅延に対応する送信チャネルを送信基準チャネルとして使用して各送信チャネルの補償係数を算出することと、
BBUが、各送信チャネルの補償係数に従って各送信チャネルに対して補正補償を行うことと
を含み、
受信信号の量が1よりも大きい正の整数であり、受信信号の量が送信チャネルの量に等しい、
アンテナシステムを提供する。
【００２５】
任意選択的に、BBUは、受信した各受信信号に従って各送信チャネルの周波数領域チャネル応答を計算し、各送信チャネルの周波数領域チャネル応答に従って各送信チャネルのチャネル遅延を算出するように特に構成される。
【００２６】
任意選択的に、BBUは、式
【００２７】
【数３】
2018530972.tif 000005
【００２８】
に従って各送信チャネルの周波数領域チャネル応答を計算するように特に構成され、
ただし、stx，i（k）は、BBUによってRRUのi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【００２９】
任意選択的に、BBUは、各送信チャネルの周波数領域チャネル応答に従って各送信チャネルの初期補正補償係数を計算するように特に構成され、さらに、最小チャネル遅延に対応する送信チャネルの初期補正補償係数を基準として使用して各送信チャネルの補償係数を算出するように特に構成される。
【００３０】
任意選択的に、BBUは、各送信チャネルの周波数領域チャネル応答の逆数を計算することによって各送信チャネルの初期補正補償係数を取得するように特に構成される。
【００３１】
任意選択的に、BBUは、各送信チャネルの初期補正補償係数を、最小チャネル遅延に対応する送信チャネルの初期補正補償係数で割ることによって各送信チャネルの補償係数を取得するように特に構成される。
【００３２】
任意選択的に、BBUは、複数のRRUに接続され、
BBUは、各RRUの補正基準チャネルからの各受信信号の受信であって、各受信信号が、BBUが複数のRRUの各送信チャネルに送信補正基準信号を送信した後に複数のRRUの各送信チャネルから対応して出力される信号である、受信を行うように特に構成される。
【００３３】
第4の態様によれば、本発明の一実施形態は、信号チャネル補正補償デバイスであって、該デバイスが、アンテナシステムに配置され、
通信インタフェースと、メモリと、プロセッサと、通信バスとを含み、通信インタフェース、メモリ、およびプロセッサが、通信バスを使用して互いに通信し、
メモリが、プログラムを格納するように構成され、プロセッサが、メモリに格納されたプログラムを実行するように構成され、従来のインターネットプロトコルIPネットワークを横断するOpenflowネットワークのトポロジー学習装置が動作すると、プロセッサはプログラムを実行し、プログラムが、
無線遠隔ユニットRRUの補正基準チャネルから各受信信号を受信するステップであって、各受信信号が、デバイスがRRUの各送信チャネルに送信補正基準信号を送信した後に各送信チャネルから対応して出力される信号である、ステップと、
各受信信号に従って各送信チャネルのチャネル遅延を算出するステップと、
最小チャネル遅延に対応する送信チャネルを送信基準チャネルとして使用して各送信チャネルの補償係数を算出するステップと、
各送信チャネルの補償係数に従って各送信チャネルに対して補正補償を行うステップと
を含み、
受信信号の量が1よりも大きい正の整数であり、受信信号の量が送信チャネルの量に等しい、
信号チャネル補正補償デバイスを提供する。
【００３４】
本発明の実施形態の信号チャネル補正補償方法、装置、およびデバイス、ならびにシステムによれば、信号チャネルの補償係数を取得するときに、最小チャネル遅延に対応する送信チャネルを送信基準チャネルとして使用することにより、現在の受信セグメントが次のセグメントのシンボルサンプリング点を含むことを効果的に防止することができ、この場合に発生するISIを回避することができる。
【００３５】
本発明の実施形態または従来技術の技術的解決策をより明確に説明するために、以下では、実施形態または従来技術を説明するために必要な添付図面について簡単に説明する。明らかに、以下の説明の添付図面は、本発明の一部の実施形態を示しており、当業者は、創造的な努力なしにこれらの添付図面から他の図面をさらに得ることができる。
【図面の簡単な説明】
【００３６】
【図１】従来技術におけるアンテナシステムの概略構造図を示す。
【図２】アンテナシステムの別の概略構造図を示す。
【図３】アンテナシステムのさらに別の概略構造図を示す。
【図４】アンテナシステムのさらに別の概略構造図を示す。
【図５Ａ】信号チャネル補正補償の概略的な効果図を示す。
【図５Ｂ】信号チャネル補正補償の概略的な効果図を示す。
【図６】本発明の一実施形態による信号チャネル補正補償方法のフローチャートを示す。
【図７】本発明の一実施形態による信号チャネル補正補償方法の別のフローチャートを示す。
【図８】単一のセルが複数のRRUを含む概略構造図を示す。
【図９】本発明の一実施形態による信号チャネル補正補償方法のさらに別のフローチャートを示す。
【図１０】本発明の一実施形態による信号チャネル補正補償装置の概略構造図を示す。
【図１１】本発明の一実施形態による信号チャネル補正補償デバイスの概略構造図を示す。
【発明を実施するための形態】
【００３７】
本発明の実施形態の目的、技術的解決策、および利点をより明確にするために、以下では、本発明の実施形態の添付図面を参照しながら本発明の実施形態の技術的解決策を明確かつ完全に説明する。明らかに、記載されている実施形態は、本発明の実施形態の一部であり、本発明の実施形態の全部ではない。創造的な努力なしに本発明の実施形態に基づいて当業者によって得られる他のすべての実施形態は、本発明の保護範囲内に入るものとする。
【００３８】
本発明の実施形態では、本発明の実施形態の信号チャネル補正方法を詳細に説明するために、LTEシステムにおけるMIMO送信方式に使用されるアンテナシステムを例として使用する。
【００３９】
図1のアンテナシステムの構造に基づいて、図2は、アンテナシステムの別の概略構造図を示す。
【００４０】
図2からは、アンテナシステムの主な構造がアンテナ1と、RRU2と、BBU3とを含むことが分かる。RRU2は、複数の信号チャネルを含み、各信号チャネルは、受信チャネルおよび送信チャネルを含む。図2に示すアンテナシステムのRRU2は、4つの信号チャネルを含む。例えば、0番目の信号チャネルは、送信チャネルおよび受信チャネルを含む。送信チャネルは送信回路TX0を含み、送信回路TX0は、CPRI（Common Public Radio Interface、共通公衆無線インタフェース）を使用してBBU3のトランシーバインタフェースTRX0に接続され、チャネル組み合わせモジュールを使用してアンテナ1に接続される。受信チャネルは受信回路RX0を含み、受信回路RX0は、CPRIを使用してBBU3のトランシーバインタフェースTRX0に接続され、チャネル組み合わせモジュールを使用してアンテナ1に接続される。
【００４１】
図2において、チャネル組み合わせモジュールは、受信チャネルと送信チャネルを分離するための電子デバイスであり、特にデュプレクサ、スイッチ回路、またはサーキュレータなどである。
【００４２】
RRU2に含まれる別の信号チャネルの接続構造は、0番目の信号チャネルの接続構造と同じであり、詳細な説明は省略する。
【００４３】
LTEシステムは、2つの方式で、すなわちBF（Beamforming、ビームフォーミング）送信方式およびCL−MIMO（閉ループMIMO、Closed−Loop MIMO）送信方式でMIMO送信を行うために図2に示したアンテナシステムを使用する。基地局側の重み付けによってBF送信方式およびCL−MIMO送信方式で送信は行われ、これにより、複数の送信アンテナ1の信号は、信号が受信されるときにコヒーレントに重畳される。このようにして、アレイ利得が得られ、ユーザのSINR（Signal to Interference plus Noise Ratio、信号対干渉雑音比）が増加する。
【００４４】
BF送信技術またはCL−MIMO送信技術のいずれでも、アンテナシステムの送信チャネルは、比較的高い送信品質を得るために特定の送信条件を満たす必要がある。
【００４５】
例えば、CL−MIMO送信技術では、送信チャネルの遅延および位相がエアインタフェースで揃えられることを保証する必要があり、これは以下の式で表される。
htx，0（k）＝htx，1（k）＝L＝htx，3（k）
【００４６】
上記の式において、htx，0（k）〜htx，3（k）は、それぞれ送信チャネル0〜送信チャネル3の周波数領域チャネル応答を示し、kは、周波数領域サブキャリアのシーケンス番号を示し、kの値の範囲は、0〜Nfft−1であり、Nfftは、周波数領域サブキャリアの総量である。
【００４７】
あるいは、CL−MIMO送信技術では、送信チャネルの応答は、遅延または周波数領域補償を使用することによって一致し、これは以下の式で表される。
βtx，0×htx，0（k）＝βtx，1×htx，1（k）＝L＝βtx，3×htx，3（k）
ただし、βtx，0〜βtx，3は、それぞれ送信チャネル0〜送信チャネル3の補正補償係数を示す。
【００４８】
別の例では、BF送信技術では、受信チャネルのチャネル応答と送信チャネルのチャネル応答との比は等しい、すなわち、式
【００４９】
【数４】
2018530972.tif 000006
【００５０】
が成立する。ただし、hrx，0（k）〜hrx，3（k）は、それぞれ受信チャネル0〜受信チャネル3の周波数領域チャネル応答を示し、kは、周波数領域サブキャリアのシーケンス番号を示し、kの値の範囲は、0〜Nfft−1であり、Nfftは、周波数領域サブキャリアの総量である。
【００５１】
あるいは、BF送信技術では、送信チャネルの応答は、遅延または周波数領域補償を使用することによって一致する、すなわち、式
【００５２】
【数５】
2018530972.tif 000007
【００５３】
が成立する。ただし、βtx，0〜βtx，3は、それぞれ送信チャネル0〜送信チャネル3の補正補償係数を示し、βrx，0〜βrx，3は、それぞれ受信チャネル0〜受信チャネル3の補正補償係数を示す。
【００５４】
トランシーバチャネルの中間周波数部分にFIFO（First In First Out、先入れ先出し）ジッタが発生し、無線周波数のアナログ成分の応答が一致しないため、周波数領域または時間領域補償が行われない場合、チャネルを揃えることができない。したがって、チャネル補償アルゴリズムおよびハードウェア設計を使用して補正補償係数を取得する必要がある。
【００５５】
本発明の実施形態の、補正補償係数を取得するための方法は、追加の補正基準チャネル4を設計することを含む。
【００５６】
図3は、アンテナシステムのさらに別の概略構造図を示す。信号チャネルの補正補償係数を取得するために、結合回路5および補正基準チャネル4が、アンテナシステムの構造に追加されている。特に、結合回路5はアンテナに配置され、これは外部補正方法である。この補正方法では、送信チャネルは、RRU2のTX（transmitter、送信）回路およびフィーダ6を含み、受信チャネルは、RRU2のRX（Receiver、受信）回路およびフィーダ6を含む。例えば、0番目の送信チャネルは、送信回路TX0およびフィーダ6を含み、0番目の受信チャネルは、受信回路RX0およびフィーダ6を含む。この態様では、アンテナに結合回路5を配置することにより、TX回路およびフィーダの補正を完了することができる。
【００５７】
図4は、アンテナシステムのさらに別の概略構造図を示す。図4は、アンテナシステムに追加される結合回路5がこの態様ではRRUに配置されている点で図3と異なっており、これは、内部補正方法である。この補正方法では、送信チャネルは、RRU2のTX回路を含み、受信チャネルは、RRU2のRX回路を含む。例えば、0番目の送信チャネルは送信回路TX0を含み、0番目の受信チャネルは受信回路RX0を含む。この態様では、結合回路はRRUに配置され、信号がRRUのアウトバウンドポート（または内部）から結合回路5に送信されることにより、TX回路の補正は完了される。外部フィーダ間の長さの一貫性は、構造上の制約によってのみ確保され得る。
【００５８】
図3および図4において、結合回路5は、パワースプリッタ／コンバイナを含む回路であってもよい。図4の結合回路5は、方向性結合器を使用して各送信チャネルの出力端に接続される。
【００５９】
図3および図4において、補正基準チャネル4は、送信回路TXcおよび受信回路RXcを含む。BBU3は、受信補正基準信号を送信回路TXcに送信する。信号が結合回路5およびアンテナ1を通過した後、BBU3は、RRU2の各受信チャネルからフィードバック信号を受信し、フィードバック信号に従って各受信チャネルの補償係数を取得する。
【００６０】
補正基準チャネル4の受信回路RXcは、結合回路5が出力する信号を受信し、BBU3が受信した信号に従ってRRUの各送信チャネルを補正できるように、受信した信号をBBU3に出力するよう構成される。以下では、送信チャネルを補正するプロセスについて詳細に説明するが、詳細な説明は省略する。
【００６１】
図3および図4に示した2つのアンテナシステムでは、送信チャネルおよび受信チャネルの規定される範囲は異なるが、本発明の実施形態で提供される、信号チャネル補正を実施するための方法は同じである。本発明の実施形態の信号チャネル補正補償方法を詳細に説明するための例として、図3に示したアンテナシステムを使用する。
【００６２】
図3に示したアンテナシステムを使用して送信チャネル補正を行う場合、BBU3は、補正開始を制御し、送信補正基準信号を各送信チャネルに送信する。図3において、BBU3は、トランシーバインタフェースTRX0を使用して送信回路TX0に送信補正基準信号を送信し、トランシーバインタフェースTRX1を使用して送信回路TX1に送信補正基準信号を送信し、トランシーバインタフェースTRX2を使用して送信回路TX2に送信補正基準信号を送信し、トランシーバインタフェースTRX3を使用して送信回路TX3に送信補正基準信号を送信する。本方法では、BBU3は、周波数分割、時分割、または空間分割などによって送信補正基準信号を送信チャネルに送信することができる。
【００６３】
BBU3によって4つの送信チャネルに送信された送信補正基準信号は、結合回路5を使用して集められ、次に補正基準チャネル4に送信される。BBU3は、補正基準チャネルから、送信チャネルと1対1に対応する受信情報を受信する。受信チャネルの信号はrrxc，0（k）、rrxc，1（k）、rrxc，2（k）、およびrrxc，3（k）であるとする。各送信チャネルの周波数領域チャネル応答は、最小二乗（Least Square、最小二乗）チャネル推定によって取得することができ、LSチャネル推定の式は
【００６４】
【数６】
2018530972.tif 000008
【００６５】
である。ただし、
【００６６】
【数７】
2018530972.tif 000009
【００６７】
は、i番目の送信チャネルの推定周波数領域チャネル応答であり、rrxc，i（k）は、補正基準チャネル4を使用して受信されるi番目の受信信号であり、stx，i（k）は、BBU3によって送信されるi番目の補正基準信号であり、iの値は、図3に示したアンテナシステムでは0〜3である。
【００６８】
LSチャネル推定の上記の式は、
【００６９】
【数８】
2018530972.tif 000010
【００７０】
のように単純化される。ただし、hrxc（k）は、補正基準チャネルの受信チャネルのチャネル応答であり、htx，i（k）は、i番目の送信チャネルのチャネル応答である。
【００７１】
【数９】
2018530972.tif 000011
【００７２】
の各々の逆数を計算することによって初期補正補償係数を取得することができる。すなわち、i番目の送信チャネルの初期補正補償係数は、式
【００７３】
【数１０】
2018530972.tif 000012
【００７４】
に従って計算される。
【００７５】
【数１１】
2018530972.tif 000013
【００７６】
を使用して初期補正補償係数を計算する前に、取得される初期補正補償係数の精度を向上させるために、
【００７７】
【数１２】
2018530972.tif 000014
【００７８】
に対してノイズ低減処理を行ってもよい。
【００７９】
さらに、補正基準チャネル4によって発生する追加の遅延を回避するために、初期補正係数を取得した後に、送信チャネルを基準として使用して、取得した補正補償係数に対して相対補正が行われ、通常はチャネル0を基準として使用して、相対補正が行われる。すなわち、
【００８０】
【数１３】
2018530972.tif 000015
【００８１】
である。
【００８２】
RRU2のチャネル間の遅延差は比較的小さいため、チャネル0を基準として使用することは大きな問題とならない。しかしながら、特定のRRU2、または2つのRRU2を含む単一のセルについては、特別な配慮が必要である。
【００８３】
図5Aおよび図5Bは、信号チャネル補正補償の概略的な効果図を示す。図からは、チャネル0を基準として使用した場合、チャネル0によって使用される補正補償方式が、逆数補償、最小遅延補償、および最大遅延補償を含むことが分かる。遅延が最も大きいチャネルを基準として使用して相対補正を行う場合、次のOFDMシンボルのサンプリング点が、受信端で現在のOFDM（Orthogonal Frequency Division Multiplexing、直交周波数分割多重）データにおいて受信され、ISIが発生する。
【００８４】
上記の問題を解決するために、本発明の実施形態は、信号チャネル補正補償方法を提供する。本方法では、信号チャネルの補償係数を取得するときに、最小チャネル遅延に対応する送信チャネルを送信基準チャネルとして使用することにより、現在の受信セグメントが次のセグメントのシンボルサンプリング点を含むことを効果的に防止することができ、この場合に発生するISIを回避することができる。
【００８５】
図6は、本発明の一実施形態による信号チャネル補正補償方法のフローチャートを示す。本方法は、BBUによって実行され、以下の主な処理ステップを含む。
【００８６】
ステップS11：BBUは、RRUの補正基準チャネルから各受信信号を受信する。
【００８７】
各受信信号は、BBUがRRUの各送信チャネルに送信補正基準信号を送信した後に各送信チャネルから対応して出力される信号である。
【００８８】
特に、受信信号の量は1よりも大きい正の整数であり、受信信号の量は送信チャネルの量に等しい。
【００８９】
特に、BBUがRRUの補正基準チャネルから各受信信号を受信する特定のプロセスは以下を含む。
【００９０】
（1）BBUは、RRUの各送信チャネルに送信補正基準信号を送信する。
【００９１】
例えば、図3では、BBU3は、送信回路TX0、送信回路TX1、．．．、および送信回路TX3の各々に送信補正基準信号を送信する。
【００９２】
（2）BBUは、RRUの補正基準チャネルから、送信チャネルと1対1に対応する受信信号を受信する。
【００９３】
例えば、図3では、BBU3は、補正基準チャネルの受信回路RXcから各受信信号を受信する。
【００９４】
ステップS12：BBUは、各受信信号に従って各送信チャネルのチャネル遅延を算出する。
【００９５】
ステップS13：BBUは、最小チャネル遅延に対応する送信チャネルを送信基準チャネルとして使用して各送信チャネルの補償係数を算出する。
【００９６】
ステップS14：BBUは、各送信チャネルの補償係数に従って各送信チャネルに対して補正補償を行う。
【００９７】
図5Aおよび図5Bを参照すると、本発明のこの実施形態では、最小チャネル遅延に対応する送信チャネルを送信基準チャネルとして使用することにより、現在の受信セグメントが次のセグメントのシンボルサンプリング点を含むことを効果的に防止することができ、この場合に発生するISIを回避することができることが分かる。
【００９８】
図7は、本発明の一実施形態による信号チャネル補正補償方法の別のフローチャートを示す。本方法は、BBUによって実行され、以下の主な処理ステップを含む。
【００９９】
ステップS21：BBUは、RRUの各送信チャネルに送信補正基準信号を送信する。
【０１００】
ステップS22：BBUは、RRUの補正基準チャネルから、送信チャネルと1対1に対応する受信信号を受信する。
【０１０１】
ステップS23：BBUは、受信した受信信号に従って各送信チャネルの周波数領域チャネル応答を計算する。
【０１０２】
BBUによって、受信した受信信号に従って各送信チャネルの周波数領域チャネル応答を計算するステップは、
BBUによって、式
【０１０３】
【数１４】
2018530972.tif 000016
【０１０４】
に従って各送信チャネルの周波数領域チャネル応答を計算するステップを含む。ただし、stx，i（k）は、BBUによってRRUのi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【０１０５】
この式は、
【０１０６】
【数１５】
2018530972.tif 000017
【０１０７】
のように単純化される。ただし、hrxc（k）は、補正基準チャネルの受信チャネルのチャネル応答であり、htx，i（k）は、i番目の送信チャネルのチャネル応答である。
【０１０８】
ステップS24：BBUは、各送信チャネルの周波数領域チャネル応答に従って各送信チャネルのチャネル遅延を算出する。
【０１０９】
このステップでは、各送信チャネルのチャネル遅延が、周波数領域チャネル応答値に従って時間領域において算出される。
【０１１０】
ステップS25：BBUは、各送信チャネルの周波数領域チャネル応答に従って各送信チャネルの初期補正補償係数を計算する。
【０１１１】
特に、BBUは、各送信チャネルの周波数領域チャネル応答の逆数を計算することによって各送信チャネルの初期補正補償係数を取得する。
【０１１２】
このステップでは、BBUは、式
【０１１３】
【数１６】
2018530972.tif 000018
【０１１４】
に従ってi番目の送信チャネルの初期補正補償係数を計算し、また、
【０１１５】
【数１７】
2018530972.tif 000019
【０１１６】
を使用して初期補正補償係数を計算する前に、BBUは、取得される初期補正補償係数の精度を向上させるために
【０１１７】
【数１８】
2018530972.tif 000020
【０１１８】
に対してノイズ低減処理を行ってもよい。
【０１１９】
ステップS26：BBUは、最小チャネル遅延に対応する送信チャネルの初期補正補償係数を基準として使用して各送信チャネルの補償係数を算出する。
【０１２０】
BBUは、各送信チャネルの初期補正補償係数を、最小チャネル遅延に対応する送信チャネルの初期補正補償係数で割ることによって各送信チャネルの補償係数を取得する。
【０１２１】
ステップS27：BBUは、各送信チャネルの補償係数に従って各送信チャネルに対して補正補償を行う。
【０１２２】
本発明の実施形態1および実施形態2における上記の方法は、単一のセル内に単一のRRUを含むアンテナシステムに適用され得るし、単一のセル内に複数のRRUを含むアンテナシステムに適用され得る。例えば、図8に示すように、1つのアンテナシステムは2つのRRUを含み、各RRUは2つの信号チャネルを含んでもよい。
【０１２３】
単一のセルが複数のRRUを含む場合、複数のRRUはそれぞれ、このセル内のBBUに接続される。BBUが複数のRRUの送信チャネルを補正するとき、BBUは、各RRUの補正基準チャネルから各受信信号を受信する。各受信信号は、BBUが複数のRRUの各送信チャネルに送信補正基準信号を送信した後に複数のRRUの各送信チャネルから対応して出力される信号である。
【０１２４】
各RRUによって出力された受信信号を受信した後、BBUは、実施形態1または実施形態2の方法に従って各送信チャネルの補正補償係数を計算する。補正補償係数を計算するための方法は、実施形態1または実施形態2と同じであり、詳細な説明は省略する。
【０１２５】
図9は、本発明の一実施形態による信号チャネル補正補償方法のさらに別のフローチャートを示す。本方法は、BBUによって実行され、以下の主な処理ステップを含む。
【０１２６】
ステップS31：RRUが起動され、この場合、チャネルの温度および湿度などが変化することからRRUの送信チャネルおよび受信チャネルのチャネル応答は変動する。
【０１２７】
ステップS32：BBUは、RRUの起動時間がX分を超えたかどうかを判定する。
【０１２８】
RRUの送信チャネルおよび受信チャネルのチャネル応答の変動を考慮して、BBUは、チャネル応答が安定するまでチャネル補正を開始しない。すなわち、BBUは、RRUの起動時間がx分を超えたかどうかを判定し、RRUの起動時間がX分を超えた場合、それは、チャネル応答が安定し、BBUがチャネル補正を行うことができることを意味する。
【０１２９】
ステップS33：BBUは、RRUの送信チャネルの補正をトリガする。
【０１３０】
BBUは、複数の送信チャネルに送信補正基準信号を送信する。特に、送信補正基準信号は、時分割、周波数分割、または符号分割などの複数の方式で送信されてもよい。送信補正基準信号は、RRUおよびアンテナを通過して、結合回路から補正基準チャネルの受信チャネルにループバックされる（場合によっては、送信補正基準信号は、アンテナを通過することなくRRU内の結合回路から直接ループバックされるが、処理手順に違いはなく、別に説明はしない）。BBUは、補正基準チャネルの受信チャネルから取得した受信信号に対してLSチャネル推定を行い、LSチャネル推定結果を使用して各送信チャネルの初期送信補正係数を取得し、その場合、任意選択的にBBUは、ノイズリダクションおよびフィルタリングなどの動作を行った後にLSチャネル推定を行う。初期送信補正係数は、チャネル推定結果の逆数を計算することによって取得される。
【０１３１】
ステップS34：BBUは、取得したLSチャネル推定値に従って各送信チャネルのチャネル遅延を取得し、チャネル遅延が最も小さいチャネルを送信基準チャネルとして選択し、基準チャネルの初期送信補正係数を正規化係数として使用し、初期送信補正係数に対して相対補正処理を行って、すなわち、すべての初期送信補正係数を基準チャネルの初期送信補正係数で割って、第2の補正補償係数を取得する。
【０１３２】
ステップS33およびステップS34の、初期補正補償係数および第2の補正補償係数を計算するための方法は、実施形態2と同じであり、詳細な説明は省略する。
【０１３３】
ステップS35：BBUは、RRUの受信チャネルの補正をトリガする。
【０１３４】
BBUは、補正基準チャネルの送信チャネルに受信補正基準信号を送信する。受信補正基準信号は、RRUおよびアンテナを通過して、結合回路からRRUの複数の受信チャネルにループバックされる（場合によっては、受信補正基準信号は、アンテナを通過することなくRRU内の結合回路から直接ループバックされるが、処理手順に違いはなく、別に説明はしない）。BBUは、受信チャネルから取得した受信信号に対してLSチャネル推定を行い、次にBBUは、RRUの各受信チャネルのLSチャネル推定結果を使用して各受信チャネルの初期受信補正係数を算出し、その場合、任意選択的にBBUは、ノイズリダクションおよびフィルタリングなどの動作を受信信号に対して行った後にLSチャネル推定を行う。初期受信補正係数は、チャネル推定結果の逆数を計算することによって取得される。（このステップは、FDDシステムでは実行されない場合がある）
【０１３５】
ステップS36：BBUは、取得したLSチャネル推定値に従ってチャネル0（ランダム選択可能）を受信基準チャネルとして選択し、受信基準チャネルの初期受信補正係数を正規化係数として使用し、初期送信補正係数に対して相対補正処理を行って、すなわち、すべての初期受信補正係数を基準チャネルの初期受信補正係数で割って、第2の受信補正係数を取得する（このステップはFDDシステムでは実行されない場合がある）。
【０１３６】
初期補正が完了した後、チャネル遅延が最も小さいチャネルが基準チャネルとして使用されて相対補正が行われ、この結果、補正補償によって発生するISIが回避される。
【０１３７】
図10は、本発明の一実施形態による信号チャネル補正補償装置の概略構造図を示す。この装置は、ベースバンドユニットBBUに配置され、受信ユニット41と、チャネル遅延算出ユニット42と、補償係数算出ユニット43と、補正補償ユニット44とを含む。
【０１３８】
受信ユニット41は、無線遠隔ユニットRRUの補正基準チャネルからの各受信信号の受信であって、各受信信号が、BBUがRRUの各送信チャネルに送信補正基準信号を送信した後に各送信チャネルから対応して出力される信号であり、受信信号の量が1よりも大きい正の整数であり、受信信号の量が送信チャネルの量に等しい、受信を行うように構成される。
【０１３９】
チャネル遅延算出ユニット42は、各受信信号に従って各送信チャネルのチャネル遅延を算出するように構成される。
【０１４０】
補償係数算出ユニット43は、最小チャネル遅延に対応する送信チャネルを送信基準チャネルとして使用して各送信チャネルの補償係数を算出するように構成される。
【０１４１】
補正補償ユニット44は、各送信チャネルの補償係数に従って各送信チャネルに対して補正補償を行うように構成される。
【０１４２】
上記の実施形態では、チャネル遅延算出ユニット42は、受信した各受信信号に従って各送信チャネルの周波数領域チャネル応答を計算し、各送信チャネルの周波数領域チャネル応答に従って各送信チャネルのチャネル遅延を算出するように特に構成される。
【０１４３】
上記の実施形態では、チャネル遅延算出ユニット42は、式
【０１４４】
【数１９】
2018530972.tif 000021
【０１４５】
に従って各送信チャネルの周波数領域チャネル応答を計算するように特に構成される。ただし、stx，i（k）は、BBUによってRRUのi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【０１４６】
上記の実施形態では、補償係数算出ユニット43は、各送信チャネルの周波数領域チャネル応答に従って各送信チャネルの初期補正補償係数を計算するように特に構成され、
BBUは、最小チャネル遅延に対応する送信チャネルの初期補正補償係数を基準として使用して各送信チャネルの補償係数を算出する。
【０１４７】
上記の実施形態では、補償係数算出ユニット43は、各送信チャネルの周波数領域チャネル応答の逆数を計算することによって各送信チャネルの初期補正補償係数を取得するように特に構成される。
【０１４８】
上記の実施形態では、補償係数算出ユニット43は、各送信チャネルの初期補正補償係数を、最小チャネル遅延に対応する送信チャネルの初期補正補償係数で割ることによって各送信チャネルの補償係数を取得するように特に構成される。
【０１４９】
上記の実施形態では、BBUは、複数のRRUに接続され、
受信ユニット41は、各RRUの補正基準チャネルからの各受信信号の受信であって、各受信信号が、BBUが複数のRRUの各送信チャネルに送信補正基準信号を送信した後に複数のRRUの各送信チャネルから対応して出力される信号である、受信を行うように特に構成される。
【０１５０】
図3は、本発明の一実施形態によるアンテナシステムの概略構造図を示す。アンテナシステムは、アンテナ1と、RRU2と、BBU3とを含む。
【０１５１】
RRU2は、補正基準チャネルおよび複数の送信チャネルを含み、補正基準チャネルは、アンテナとBBU3の両方に接続され、複数の送信チャネルは、アンテナとBBU3との間に並列に接続される。
【０１５２】
BBU3は、RRU2の各送信チャネルに対する補正補償を行うように構成され、この補正補償は、
BBU3が、RRU2の補正基準チャネルからの各受信信号の受信であって、各受信信号が、BBU3がRRU2の各送信チャネルに送信補正基準信号を送信した後に各送信チャネルから対応して出力される信号である、受信を行うこと、
BBU3が、各受信信号に従って各送信チャネルのチャネル遅延を算出すること、
BBU3が、最小チャネル遅延に対応する送信チャネルを送信基準チャネルとして使用して各送信チャネルの補償係数を算出すること、および
BBU3が、各送信チャネルの補償係数に従って各送信チャネルに対して補正補償を行うこと
を含み、この場合、受信信号の量は1よりも大きい正の整数であり、受信信号の量は送信チャネルの量に等しい。
【０１５３】
上記の実施形態では、BBU3は、受信した各受信信号に従って各送信チャネルの周波数領域チャネル応答を計算し、各送信チャネルの周波数領域チャネル応答に従って各送信チャネルのチャネル遅延を算出するように特に構成される。
【０１５４】
上記の実施形態では、BBU3は、式
【０１５５】
【数２０】
2018530972.tif 000022
【０１５６】
に従って各送信チャネルの周波数領域チャネル応答を計算するように特に構成される。ただし、stx，i（k）は、BBU3によってRRU2のi番目の送信チャネルに送信される補正基準信号を示し、rrxc，i（k）は、補正基準チャネルによって受信される、i番目の送信チャネルに対応する受信信号を示し、kは、周波数領域サブキャリアのシーケンス番号を示し、kの値の範囲は、0〜N−1であり、Nは、周波数領域サブキャリアの総量であり、iの値の範囲は、0から、RRUの送信チャネルの総量から1を減じて得られる数までであり、iおよびkは共に0以上の整数であり、Nは正の整数である。
【０１５７】
上記の実施形態では、BBU3は、各送信チャネルの周波数領域チャネル応答に従って各送信チャネルの初期補正補償係数を計算するように特に構成され、さらに、最小チャネル遅延に対応する送信チャネルの初期補正補償係数を基準として使用して各送信チャネルの補償係数を算出するように特に構成される。
【０１５８】
上記の実施形態では、BBU3は、各送信チャネルの周波数領域チャネル応答の逆数を計算することによって各送信チャネルの初期補正補償係数を取得するように特に構成される。
【０１５９】
上記の実施形態では、BBU3は、各送信チャネルの初期補正補償係数を、最小チャネル遅延に対応する送信チャネルの初期補正補償係数で割ることによって各送信チャネルの補償係数を取得するように特に構成される。
【０１６０】
上記の実施形態では、BBU3は、複数のRRU2に接続され、
BBU3は、各RRU2の補正基準チャネルからの各受信信号の受信であって、各受信信号が、BBU3が複数のRRU2の各送信チャネルに送信補正基準信号を送信した後に複数のRRU2の各送信チャネルから対応して出力される信号である、受信を行うように特に構成される。
【０１６１】
図11は、本発明の一実施形態による信号チャネル補正補償デバイスの概略構造図を示す。このデバイスは、アンテナシステムに配置される。信号チャネル補正補償デバイス1100は、通信インタフェース1101と、メモリ1103と、プロセッサ1102とを含む。通信インタフェース1101、プロセッサ1102、およびメモリ1103は、バス1104を使用して相互接続される。バス1104は、周辺コンポーネント相互接続（peripheral component interconnect、略してPCI）バスまたは拡張業界標準アーキテクチャ（extended industry standard architecture、略してEISA）バスなどであってもよい。バスは、アドレスバス、データバス、または制御バスなどに分類され得る。表現を簡単にするために、バス1104は、図11では1本の太線のみを使用して表されているが、これは、1つのバスまたは1種類のバスしか存在しないことを示すものではない。
【０１６２】
通信インタフェース1101は、送信端と通信するように構成される。メモリ1103は、プログラムを格納するように構成される。特に、プログラムはプログラムコードを含んでもよく、プログラムコードはコンピュータ動作命令を含む。メモリ1103は、ランダム・アクセス・メモリ（random access memory、略してRAM）を含んでもよく、また不揮発性メモリ（non−volatile memory）（例えば、少なくとも1つの磁気ディスクストレージ）をさらに含んでもよい。
【０１６３】
プロセッサ1102は、メモリ1103に格納されたプログラムを実行することにより、本発明の上記の方法の実施形態の方法を実施する。
【０１６４】
本方法は、
無線遠隔ユニットRRUの補正基準チャネルから各受信信号を受信するステップであって、各受信信号が、デバイスがRRUの各送信チャネルに送信補正基準信号を送信した後に各送信チャネルから対応して出力される信号である、ステップと
各受信信号に従って各送信チャネルのチャネル遅延を算出するステップと、
最小チャネル遅延に対応する送信チャネルを送信基準チャネルとして使用して各送信チャネルの補償係数を算出するステップと、
各送信チャネルの補償係数に従って各送信チャネルに対して補正補償を行うステップと
を含み、受信信号の量は1よりも大きい正の整数であり、受信信号の量は送信チャネルの量に等しい。
【０１６５】
プロセッサ1102は、中央処理装置（Central Processing Unit、略してCPU）およびネットワークプロセッサ（Network Processor、略してNP）などを含む汎用プロセッサであってもよいし、デジタル信号プロセッサ（DSP）、特定用途向け集積回路（ASIC）、フィールド・プログラマブル・ゲート・アレイ（FPGA）もしくは別のプログラマブル・ロジック・デバイス、ディスクリートゲートもしくはトランジスタロジックデバイス、またはディスクリート・ハードウェア・コンポーネントであってもよい。
【０１６６】
本発明の実施形態の信号チャネル補正補償方法、装置、およびデバイス、ならびにシステムによれば、信号チャネルの補償係数を取得するときに、最小チャネル遅延に対応する送信チャネルを送信基準チャネルとして使用することにより、現在の受信セグメントが次のセグメントのシンボルサンプリング点を含むことを効果的に防止することができ、この場合に発生するISIを回避することができる。
【０１６７】
当業者であれば、方法の実施形態のステップの全部または一部が、関連するハードウェアに命令するプログラムによって実施され得ることを理解することができる。プログラムは、コンピュータ可読記憶媒体に格納されてもよい。プログラムが実行されると、方法の実施形態のステップが実行される。上記の記憶媒体は、ROM、RAM、磁気ディスク、または光ディスクなど、プログラムコードを格納することができる任意の媒体を含む。
【０１６８】
最後に、上記の実施形態は、本発明の技術的解決策を説明するためのものに過ぎず、本発明を限定するものではないことに留意されたい。本発明は、上記の実施形態を参照して詳細に説明されているが、当業者であれば、本発明の実施形態の技術的解決策の範囲から逸脱することなく、上記の実施形態で説明した技術的解決策をさらに修正することができる、またはその技術的特徴の一部もしくは全部の同等の交換を行うことができることを理解するはずである。
【符号の説明】
【０１６９】
1  送信アンテナ
2  RRU
3  BBU
4  補正基準チャネル
5  結合回路
6  フィーダ
41  受信ユニット
42  チャネル遅延算出ユニット
43  補償係数算出ユニット
44  補正補償ユニット
1100  信号チャネル補正補償デバイス
1101  通信インタフェース
1102  プロセッサ
1103  メモリ
1104  バス
【図１】
2018530972.tif 000026
【図２】
2018530972.tif 000027
【図３】
2018530972.tif 000028
【図４】
2018530972.tif 000029
【図５Ａ】
2018530972.tif 000030
【図５Ｂ】
2018530972.tif 000031
【図６】
2018530972.tif 000032
【図７】
2018530972.tif 000033
【図８】
2018530972.tif 000034
【図９】
2018530972.tif 000035
【図１０】
2018530972.tif 000036
【図１１】
2018530972.tif 000037
【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
信号チャネル補正補償方法であって、
ベースバンドユニット(BBU)によって、無線遠隔ユニット(RRU)の補正基準チャネルから各受信信号を受信するステップであって、前記各受信信号が、前記BBUが前記RRUの各送信チャネルに送信補正基準信号を送信した後に前記各送信チャネルから対応して出力される信号である、ステップと、
前記BBUによって、前記各受信信号に従って前記各送信チャネルのチャネル遅延を算出するステップと、
前記BBUによって、最小チャネル遅延に対応する送信チャネルを送信基準チャネルとして使用して前記各送信チャネルの補償係数を算出するステップと、
前記BBUによって、前記各送信チャネルの前記補償係数に従って前記各送信チャネルに対して補正補償を行うステップと
を含み、前記受信信号の量が1よりも大きい正の整数であり、前記受信信号の前記量が前記送信チャネルの量に等しい、
信号チャネル補正補償方法。
【請求項２】
前記BBUによって、前記各受信信号に従って前記各送信チャネルのチャネル遅延を算出する前記ステップが、
前記BBUによって、前記各受信信号に従って前記各送信チャネルの周波数領域チャネル応答を計算するステップと、
前記BBUによって、前記各送信チャネルの前記周波数領域チャネル応答に従って前記各送信チャネルの前記チャネル遅延を算出するステップと
を含む、請求項1に記載の方法。
【請求項３】
前記BBUによって、前記各受信信号に従って前記各送信チャネルの周波数領域チャネル応答を計算する前記ステップが、
前記BBUによって、式
【数１】
2018530972.tif 000038
に従って前記各送信チャネルの前記周波数領域チャネル応答を計算するステップ
を含み、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項2に記載の方法。
【請求項４】
前記BBUによって、最小チャネル遅延に対応する送信チャネルを送信基準チャネルとして使用して前記各送信チャネルの補償係数を算出する前記ステップが、
前記BBUによって、前記各送信チャネルの前記周波数領域チャネル応答に従って前記各送信チャネルの初期補正補償係数を計算するステップと、
前記BBUによって、前記最小チャネル遅延に対応する前記送信チャネルの初期補正補償係数を基準として使用して前記各送信チャネルの前記補償係数を算出するステップと
を含む、請求項2または3に記載の方法。
【請求項５】
前記BBUによって、前記各送信チャネルの前記周波数領域チャネル応答に従って前記各送信チャネルの初期補正補償係数を計算する前記ステップが、
前記BBUによって、前記各送信チャネルの前記周波数領域チャネル応答の逆数を計算することによって前記各送信チャネルの前記初期補正補償係数を取得するステップ
を含む、請求項4に記載の方法。
【請求項６】
前記BBUによって、前記最小チャネル遅延に対応する前記送信チャネルの初期補正補償係数を基準として使用して前記各送信チャネルの前記補償係数を算出する前記ステップが、
前記BBUによって、前記各送信チャネルの前記初期補正補償係数を、前記最小チャネル遅延に対応する前記送信チャネルの前記初期補正補償係数で割ることによって前記各送信チャネルの前記補償係数を取得するステップ
を含む、請求項4または5に記載の方法。
【請求項７】
前記BBUが、複数のRRUに接続され、
ベースバンドユニットBBUによって、無線遠隔ユニットRRUの補正基準チャネルから前記各受信信号を受信する前記ステップが、
前記BBUによって、前記RRUの各々の補正基準チャネルから前記各受信信号を受信するステップであって、前記各受信信号が、前記BBUが前記複数のRRUの前記各送信チャネルに送信補正基準信号を送信した後に前記複数のRRUの前記各送信チャネルから対応して出力される信号である、ステップ
を含む、請求項1から6のいずれか一項に記載の方法。
【請求項８】
信号チャネル補正補償装置であって、前記装置が、ベースバンドユニット(BBU)に配置され、
受信ユニットであって、無線遠隔ユニット(RRU)の補正基準チャネルからの各受信信号の受信であって、前記各受信信号が、前記BBUが前記RRUの各送信チャネルに送信補正基準信号を送信した後に前記各送信チャネルから対応して出力される信号であり、前記受信信号の量が1よりも大きい正の整数であり、前記受信信号の前記量が前記送信チャネルの量に等しい、受信を行うように構成される、受信ユニットと、
前記各受信信号に従って前記各送信チャネルのチャネル遅延を算出するように構成されるチャネル遅延算出ユニットと、
最小チャネル遅延に対応する送信チャネルを送信基準チャネルとして使用して前記各送信チャネルの補償係数を算出するように構成される補償係数算出ユニットと、
前記各送信チャネルの前記補償係数に従って前記各送信チャネルに対して補正補償を行うように構成される補正補償ユニットと
を備える、信号チャネル補正補償装置。
【請求項９】
前記チャネル遅延算出ユニットが、前記各受信信号に従って前記各送信チャネルの周波数領域チャネル応答を計算し、前記各送信チャネルの前記周波数領域チャネル応答に従って前記各送信チャネルの前記チャネル遅延を算出するように特に構成される、請求項8に記載の装置。
【請求項１０】
前記チャネル遅延算出ユニットが、式
【数２】
2018530972.tif 000039
に従って前記各送信チャネルの前記周波数領域チャネル応答を計算するように特に構成され、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項9に記載の装置。
【請求項１１】
前記補償係数算出ユニットが、前記各送信チャネルの前記周波数領域チャネル応答に従って前記各送信チャネルの初期補正補償係数を計算し、
前記最小チャネル遅延に対応する前記送信チャネルの初期補正補償係数を基準として使用して前記各送信チャネルの前記補償係数を算出する
ように特に構成される、請求項9または10に記載の装置。
【請求項１２】
前記補償係数算出ユニットが、前記各送信チャネルの前記周波数領域チャネル応答の逆数を計算することによって前記各送信チャネルの前記初期補正補償係数を取得するように特に構成される、請求項11に記載の装置。
【請求項１３】
前記補償係数算出ユニットが、前記各送信チャネルの前記初期補正補償係数を、前記最小チャネル遅延に対応する前記送信チャネルの前記初期補正補償係数で割ることによって前記各送信チャネルの前記補償係数を取得するように特に構成される、請求項11または12に記載の装置。
【請求項１４】
前記BBUが、複数のRRUに接続され、
前記受信ユニットが、前記RRUの各々の補正基準チャネルからの前記各受信信号の受信であって、前記各受信信号が、前記BBUが前記複数のRRUの前記各送信チャネルに送信補正基準信号を送信した後に前記複数のRRUの前記各送信チャネルから対応して出力される信号である、受信を行うように特に構成される、
請求項8から13のいずれか一項に記載の装置。
【請求項１５】
アンテナと、無線遠隔ユニット(RRU)と、ベースバンドユニット(BBU)とを備えるアンテナシステムであって、
前記RRUが、補正基準チャネルおよび複数の送信チャネルを備え、前記補正基準チャネルが、前記アンテナと前記BBUの両方に接続され、前記複数の送信チャネルが、前記アンテナと前記BBUとの間に並列に接続され、
前記BBUが、前記RRUの各送信チャネルに対する補正補償を行うように構成され、前記補正補償が、
前記BBUが、前記RRUの前記補正基準チャネルからの各受信信号の受信であって、前記各受信信号が、前記BBUが前記RRUの前記各送信チャネルに送信補正基準信号を送信した後に前記各送信チャネルから対応して出力される信号である、受信を行うことと、
前記BBUが、前記各受信信号に従って前記各送信チャネルのチャネル遅延を算出すること、
前記BBUが、最小チャネル遅延に対応する送信チャネルを送信基準チャネルとして使用して前記各送信チャネルの補償係数を算出することと、
前記BBUが、前記各送信チャネルの前記補償係数に従って前記各送信チャネルに対して補正補償を行うことと
を含み、
前記受信信号の量が1よりも大きい正の整数であり、前記受信信号の前記量が前記送信チャネルの量に等しい、
アンテナシステム。
【請求項１６】
前記BBUが、前記各受信信号に従って前記各送信チャネルの周波数領域チャネル応答を計算し、前記各送信チャネルの前記周波数領域チャネル応答に従って前記各送信チャネルの前記チャネル遅延を算出するように特に構成される、請求項15に記載のシステム。
【請求項１７】
前記BBUが、式
【数３】
2018530972.tif 000040
に従って前記各送信チャネルの前記周波数領域チャネル応答を計算するように特に構成され、
stx，i（k）が、前記BBUによって前記RRUのi番目の送信チャネルに送信される補正基準信号を示し、rrxc，i（k）が、前記補正基準チャネルによって受信される、前記i番目の送信チャネルに対応する受信信号を示し、kが、周波数領域サブキャリアのシーケンス番号を示し、kの値の範囲が、0〜N−1であり、Nが、周波数領域サブキャリアの総量であり、iの値の範囲が、0から、前記RRUの前記送信チャネルの総量から1を減じて得られる数までであり、iおよびkが共に0以上の整数であり、Nが正の整数である、
請求項16に記載のシステム。
【請求項１８】
前記BBUが、前記各送信チャネルの前記周波数領域チャネル応答に従って前記各送信チャネルの初期補正補償係数を計算するように特に構成され、さらに、前記最小チャネル遅延に対応する前記送信チャネルの初期補正補償係数を基準として使用して前記各送信チャネルの前記補償係数を算出するように特に構成される、請求項16または17に記載のシステム。
【請求項１９】
前記BBUが、前記各送信チャネルの前記周波数領域チャネル応答の逆数を計算することによって前記各送信チャネルの前記初期補正補償係数を取得するように特に構成される、請求項18に記載のシステム。
【請求項２０】
前記BBUが、前記各送信チャネルの前記初期補正補償係数を、前記最小チャネル遅延に対応する前記送信チャネルの前記初期補正補償係数で割ることによって前記各送信チャネルの前記補償係数を取得するように特に構成される、請求項18または19に記載のシステム。
【請求項２１】
前記BBUが、複数のRRUに接続され、
前記BBUが、前記RRUの各々の前記補正基準チャネルからの前記各受信信号の受信であって、前記各受信信号が、前記BBUが前記複数のRRUの前記各送信チャネルに送信補正基準信号を送信した後に前記複数のRRUの前記各送信チャネルから対応して出力される信号である、受信を行うように特に構成される、
請求項15から20のいずれか一項に記載のシステム。
【請求項２２】
信号チャネル補正補償装置であって、前記装置が、ベースバンドユニット(BBU)に配置され、
命令を格納するメモリと、
前記メモリに接続され、
無線遠隔ユニット(RRU)の補正基準チャネルから各受信信号を受信するための命令であって、前記各受信信号が、前記BBUが前記RRUの各送信チャネルに送信補正基準信号を送信した後に前記各送信チャネルから対応して出力される信号である、命令と、
前記各受信信号に従って前記各送信チャネルのチャネル遅延を算出するための命令と、
最小チャネル遅延に対応する送信チャネルを送信基準チャネルとして使用して前記各送信チャネルの補償係数を算出するための命令と、
前記BBUによって、前記各送信チャネルの前記補償係数に従って前記各送信チャネルに対して補正補償を行うための命令と
を実行するプロセッサであって、前記受信信号の量が1よりも大きい正の整数であり、前記受信信号の前記量が前記送信チャネルの量に等しい、プロセッサと
を備える、信号チャネル補正補償装置。
【請求項２３】
コンピュータに請求項1から7のいずれか一項に記載の方法を実行させるプログラムが記録されたコンピュータ読み取り可能な記録媒体。
【手続補正２】
【補正対象書類名】明細書
【補正対象項目名】００２０
【補正方法】変更
【補正の内容】
【００２０】
任意選択的に、補償係数算出ユニットは、各送信チャネルの周波数領域チャネル応答に従って各送信チャネルの初期補正補償係数を計算し、
最小チャネル遅延に対応する送信チャネルの初期補正補償係数を基準として使用して各送信チャネルの補償係数を算出するように特に構成される。
【手続補正３】
【補正対象書類名】明細書
【補正対象項目名】００３３
【補正方法】変更
【補正の内容】
【００３３】
第4の態様によれば、本発明の一実施形態は、信号チャネル補正補償デバイスであって、該デバイスが、アンテナシステムに配置され、
通信インタフェースと、メモリと、プロセッサと、通信バスとを含み、通信インタフェース、メモリ、およびプロセッサが、通信バスを使用して互いに通信し、
メモリが、プログラムを格納するように構成され、プロセッサが、メモリに格納されたプログラムを実行するように構成され、プログラムが、
無線遠隔ユニットRRUの補正基準チャネルから各受信信号を受信するステップであって、各受信信号が、デバイスがRRUの各送信チャネルに送信補正基準信号を送信した後に各送信チャネルから対応して出力される信号である、ステップと、
各受信信号に従って各送信チャネルのチャネル遅延を算出するステップと、
最小チャネル遅延に対応する送信チャネルを送信基準チャネルとして使用して各送信チャネルの補償係数を算出するステップと、
各送信チャネルの補償係数に従って各送信チャネルに対して補正補償を行うステップと
を含み、
受信信号の量が1よりも大きい正の整数であり、受信信号の量が送信チャネルの量に等しい、
信号チャネル補正補償デバイスを提供する。
【手続補正４】
【補正対象書類名】明細書
【補正対象項目名】００４７
【補正方法】変更
【補正の内容】
【００４７】
あるいは、CL−MIMO送信技術では、送信チャネルの応答は、時間領域または周波数領域補償を使用することによって一致し、これは以下の式で表される。
βtx，0×htx，0（k）＝βtx，1×htx，1（k）＝L＝βtx，3×htx，3（k）
ただし、βtx，0〜βtx，3は、それぞれ送信チャネル0〜送信チャネル3の補正補償係数を示す。
【手続補正５】
【補正対象書類名】明細書
【補正対象項目名】００５１
【補正方法】変更
【補正の内容】
【００５１】
あるいは、BF送信技術では、送信チャネルの応答は、時間領域または周波数領域補償を使用することによって一致する、すなわち、式
【手続補正６】
【補正対象書類名】明細書
【補正対象項目名】０１２２
【補正方法】変更
【補正の内容】
【０１２２】
図6および図7に対応する実施形態における上記の方法は、単一のセル内に単一のRRUを含むアンテナシステムに適用され得るし、単一のセル内に複数のRRUを含むアンテナシステムに適用され得る。例えば、図8に示すように、1つのアンテナシステムは2つのRRUを含み、各RRUは2つの信号チャネルを含んでもよい。
【手続補正７】
【補正対象書類名】明細書
【補正対象項目名】０１２４
【補正方法】変更
【補正の内容】
【０１２４】
各RRUによって出力された受信信号を受信した後、BBUは、図6または図7に対応する実施形態の方法に従って各送信チャネルの補正補償係数を計算する。補正補償係数を計算するための方法は、図6または図7に対応する実施形態と同じであり、詳細な説明は省略する。
【手続補正８】
【補正対象書類名】明細書
【補正対象項目名】０１２８
【補正方法】変更
【補正の内容】
【０１２８】
RRUの送信チャネルおよび受信チャネルのチャネル応答の変動を考慮して、BBUは、チャネル応答が安定するまでチャネル補正を開始しない。すなわち、BBUは、RRUの起動時間がX分を超えたかどうかを判定し、RRUの起動時間がX分を超えた場合、それは、チャネル応答が安定し、BBUがチャネル補正を行うことができることを意味する。
【手続補正９】
【補正対象書類名】明細書
【補正対象項目名】０１３５
【補正方法】変更
【補正の内容】
【０１３５】
ステップS36：BBUは、取得したLSチャネル推定値に従ってチャネル0（ランダム選択可能）を受信基準チャネルとして選択し、受信基準チャネルの初期受信補正係数を正規化係数として使用し、初期受信補正係数に対して相対補正処理を行って、すなわち、すべての初期受信補正係数を基準チャネルの初期受信補正係数で割って、第2の受信補正係数を取得する（このステップはFDDシステムでは実行されない場合がある）。
【手続補正１０】
【補正対象書類名】明細書
【補正対象項目名】０１４６
【補正方法】変更
【補正の内容】
【０１４６】
上記の実施形態では、補償係数算出ユニット43は、各送信チャネルの周波数領域チャネル応答に従って各送信チャネルの初期補正補償係数を計算し、
最小チャネル遅延に対応する送信チャネルの初期補正補償係数を基準として使用して各送信チャネルの補償係数を算出するように特に構成される。
【手続補正１１】
【補正対象書類名】図面
【補正対象項目名】図２
【補正方法】変更
【補正の内容】
【図２】
2018530972.tif 000041
【手続補正１２】
【補正対象書類名】図面
【補正対象項目名】図３
【補正方法】変更
【補正の内容】
【図３】
2018530972.tif 000042
【手続補正１３】
【補正対象書類名】図面
【補正対象項目名】図４
【補正方法】変更
【補正の内容】
【図４】
2018530972.tif 000043
【手続補正１４】
【補正対象書類名】図面
【補正対象項目名】図９
【補正方法】変更
【補正の内容】
【図９】
2018530972.tif 000044
【国際調査報告】
2018530972.tif 000045
2018530972.tif 000046
2018530972.tif 000047
2018530972.tif 000048